(57)【要約】      （修正有）【課題】燃料効率に優れた航空機の構成を提供する。【解決手段】機械的に分散された推進システムを有する統合された境界層摂取推進機構を有する航空機。機械的に分散された推進システムは、機械的な駆動力を生成するためのエンジン、駆動シャフト、方向逆転伝達機構４２２、及び推進ファンを含んでよい。駆動シャフトは、機械的な駆動力を受け取るために、エンジンに動作可能に連結されてよい。方向逆転伝達機構は、第１の回転シャフトと第２の回転シャフトを有してよい。第１の回転シャフトは、機械的な駆動力を受け取るために駆動シャフトに動作可能に連結されている。方向逆転伝達機構は、第１の回転シャフトで第１の方向から受け取った機械的な駆動力を、第２の回転シャフトで第２の方向に再方向付けするように構成されている。推進ファンは、機械的な駆動力を推力に変換するために第２の回転シャフトに連結されてよい。【選択図】図９
2020040649.tif 000002
【特許請求の範囲】
【請求項１】
航空機（１００）で使用される機械的に分散された推進システム（７００、８００）であって、
機械的な駆動力を生成するためのエンジン（４１、１０８、４１４）、
前記機械的な駆動力を受け取るために前記エンジン（４１、１０８、４１４）に動作可能に連結された駆動シャフト（４１６）、
第１の回転シャフト（１０１６）と第２の回転シャフト（１０１６）を有する方向逆転伝達機構（９００）であって、前記第１の回転シャフト（１０１６）が前記機械的な駆動力を受け取るために前記駆動シャフト（４１６）に動作可能に連結され、前記方向逆転伝達機構（９００）が、第１の方向から前記第１の回転シャフト（１０１６）で受け取った前記機械的な駆動力を、前記第２の回転シャフト（１０１６）で第２の方向に再方向付けするように構成されている、方向逆転伝達機構（９００）、及び
前記機械的な駆動力を推力に変換するために前記第２の回転シャフト（１０１６）に連結された推進ファン（４、１０８、８００）を備える、機械的に分散された推進システム（７００、８００）。
【請求項２】
前記方向逆転伝達機構（９００）が、第１の角度だけ前記機械的な駆動力の経路の方向を変えるための第１の角度付け駆動アセンブリ（１００２）、及び第２の角度だけ前記機械的な駆動力の前記経路の方向を変えるための第２の角度付け駆動アセンブリ（１００２）を備える、請求項１に記載の機械的に分散された推進システム（７００、８００）。
【請求項３】
前記第１の角度と前記第２の角度のそれぞれが等しい、請求項２に記載の機械的に分散された推進システム（７００、８００）。
【請求項４】
前記第１の角度付け駆動アセンブリ（１００２）と前記第２の角度付け駆動アセンブリ（１００２）が、線形駆動シャフト（４１６）アセンブリを介して、互いに機械的に連結されている、請求項２又は３に記載の機械的に分散された推進システム（７００、８００）。
【請求項５】
前記第１の角度付け駆動アセンブリ（１００２）が、第１の回転軸を有する前記第１の回転シャフト（１０１６）、及び第３の回転軸を有する第３の回転シャフト（１０１６）を備え、前記第１の回転シャフト（１０１６）と前記第３の回転シャフト（１０１６）が、第１の組の傘歯車を介して互いに機械的に連結されており、前記第１の回転軸と前記第３の回転軸が、互いに対して第１の角度で位置決めされている、請求項２から４のいずれか一項に記載の機械的に分散された推進システム（７００、８００）。
【請求項６】
前記第２の角度付け駆動アセンブリ（１００２）が、第２の回転軸を有する前記第２の回転シャフト（１０１６）、及び第４の回転軸を有する第４の回転シャフト（１０１６）を備え、前記第２の回転シャフト（１０１６）と前記第４の回転シャフト（１０１６）が、第２の組の傘歯車を介して互いに機械的に連結されており、前記第２の回転軸と前記第４の回転軸が、互いに対して第２の角度で位置決めされている、請求項５に記載の機械的に分散された推進システム（７００、８００）。
【請求項７】
前記第３の回転シャフト（１０１６）と前記第４の回転シャフト（１０１６）が、摺動するスプライン継ぎ手（１０２８）を介して、互いに機械的に連結されている、請求項６に記載の機械的に分散された推進システム（７００、８００）。
【請求項８】
前記方向逆転伝達機構（９００）が、前記方向逆転伝達機構（９００）に潤滑剤を供給するための導管マニフォールド（１０２２）及び複数の流体導管を含む、請求項１から７のいずれか一項に記載の機械的に分散された推進システム（７００、８００）。
【請求項９】
前記推進ファン（４、１０８、８００）が、前記航空機（１００）の胴体（１０２）にわたり流れ（１１０）ている境界層を摂取するために、前記航空機（１００）上に位置決めされている、請求項１から８のいずれか一項に記載の機械的に分散された推進システム（７００、８００）。
【請求項１０】
前記推進ファン（４、１０８、８００）が、前記胴体（１０２）に融合している、請求項９に記載の機械的に分散された推進システム（７００、８００）。
【請求項１１】
前記推進ファン（４、１０８、８００）が、前記胴体（１０２）によって画定された一組の統合ナセルカウリングディフューザを介して、前記胴体（１０２）に融合している、請求項９又は１０に記載の機械的に分散された推進システム（７００、８００）。
【請求項１２】
前記推進ファン（４、１０８、８００）が、前記胴体（１０２）の後方胴体（１０２）サブアセンブリに統合されている、請求項９に記載の機械的に分散された推進システム（７００、８００）。
【請求項１３】
前記機械的に分散された推進システム（７００、８００）が、前記エンジン（４１、１０８、４１４）が排気を後ろへ放出するように構成された、前方配向にあるように構成されている、請求項１から１２のいずれか一項に記載の機械的に分散された推進システム（７００、８００）。
【請求項１４】
前記機械的に分散された推進システム（７００、８００）が、前記エンジン（４１、１０８、４１４）が排気を前方へ放出するように構成された、逆転配向にあるように構成されており、前記エンジン（４１、１０８、４１４）が、前記排気を後ろに再方向付けするための後ろ向きエンジン（４１、１０８、４１４）排気部に連結されている、請求項１から１３のいずれか一項に記載の機械的に分散された推進システム（７００、８００）。
【請求項１５】
機械的に分散された推進システム（７００、８００）を有する航空機（１００）を動作させる方法であって、
エンジン（４１、１０８、４１４）を使用して機械的な駆動力を生成すること、
駆動シャフト（４１６）を介して前記エンジン（４１、１０８、４１４）から前記機械的な駆動力を受け取ること、
方向逆転伝達機構（９００）を介して前記駆動シャフト（４１６）から前記機械的な駆動力を受け取ることであって、前記方向逆転伝達機構（９００）が、第１の回転シャフト（１０１６）及び第２の回転シャフト（１０１６）を備え、前記第１の回転シャフト（１０１６）が前記駆動シャフト（４１６）に動作可能に連結されている、前記機械的な駆動力を受け取ること、
第１の方向から前記第１の回転シャフト（１０１６）で受け取った前記機械的な駆動力を、前記第２の回転シャフト（１０１６）で第２の方向に再方向付けすること、並びに
前記機械的な駆動力を推力に変換するために推進ファン（４、１０８、８００）を回転させることであって、前記推進ファン（４、１０８、８００）が前記第２の回転シャフト（１０１６）に動作可能に連結されている、推進ファン（４、１０８、８００）を回転させることを含む、方法。
【発明の詳細な説明】
【技術分野】
【０００１】
複数の態様が独立請求項で規定され、複数の態様の任意選択的な特徴が従属請求項で規定される。
【０００２】
本開示は、効率が高められた航空機の分野に関し、特に、機械的に分散された推進ドライブトレイン及びアーキテクチャを有する航空機に関する。
【背景技術】
【０００３】
民間航空機の燃料効率を改善することが、経済的に強く望まれている。しかし、基本的な航空機のプラットフォームは、民間航空機の黎明期以来変わっていない。主たる民間航空機の構成は、胴体と翼の構成であり、高度に最適化され成熟したプラットフォームである。したがって、更なる燃料効率の改善を引き出すことはますます困難になっている。例示として、空力特性を改善するために主翼後退角がわずかに減少したけれども、胴体と主翼を有する航空機のシルエットは、１９６０年代から今日に至るまでほとんど変わっていない。数十年間、エンジニアたちは、効率と安全性のために、胴体と主翼の構成のサブシステム及び構成要素を評価し最適化してきた。例えば、エンジンの構成は、ターボジェットから、ターボファン、約８．０のバイパス比を有する高バイパス比ターボファン、最大１２．０までのより高いバイパス比を提供するギア付きターボファンに進化してきた。この成熟したプラットフォームの利点は、プラットフォームを改善することの難しさという課題を併せ持つ。すなわち、性能の向上は、実現することがより困難になってきている。例えば、エンジン効率の改善は遅く、ターボファンエンジンの理論的限界に到達しつつある。推進力、空気力学、及び構造効率の改善の組み合わせによる、年間約１．５％の航空機効率の改善（座席当たりのkgで測定）は、長い時間を経て成熟するまで継続されることになる。
【０００４】
より速い速度で航空会社と顧客に経済的な利益を提供するために、新しい構成が使用されてよい。民間航空機の時代全体を通して、航空機用に様々な再構成が提案されてきたが、そのような再構成は、既存の航空輸送インフラにおいては実行可能でなく、又は開発することが急過ぎた。更に、当業者は、推進システムの進歩だけが主要な変化要因であり続けることはできないと主張している。例えば、現在の設計実務を継続すると、ナセルの抵抗が大きくなり、推進器の重量が増加し、ファンが大きいので主翼の下に設置することが困難になる。
【０００５】
以上のことに鑑みて、成熟した航空輸送システムと一貫した、新規な燃料効率に優れた航空機の構成が必要とされている。推進システムと機体との間の高度な統合は、将来の構成によって提供される実質的な節約のうちの１つの要素であってよい。しかし、この統合は、エンジンと機体の製造業者にとって新しい課題を導入する。
【発明の概要】
【０００６】
本開示は、航空機の境界層の摂取（ingestion）を可能にする、統合された推進システムを有する、進化し燃料効率に優れた航空機を対象とする。例えば、優れた燃料効率の利益を提供するために、航空機の境界層の摂取を可能とするやり方で推進システムを胴体の中へ統合することによって航空機の燃料効率を改善する、胴体が提供されてよい。別の一実施形態では、航空機の燃料効率を改善し続けるために、新しい機械的に分散された推進ドライブトレイン及びアーキテクチャが提供されてよい。
【０００７】
第１の態様によれば、航空機内で使用される機械的に分散された推進システムが、機械的な駆動力を生成するためのエンジン、機械的な駆動力を受け取るためにエンジンに動作可能に連結された駆動シャフト、第１の回転シャフトと第２の回転シャフトを有する方向逆転伝達機構であって、第１の回転シャフトが機械的な駆動力を受け取るために駆動シャフトに動作可能に連結され、方向逆転伝達機構が、第１の方向から第１の回転シャフトで受け取った機械的な駆動力を、第２の回転シャフトで第２の方向に再方向付けするように構成されている、方向逆転伝達機構、及び機械的な駆動力を推力に変換するために第２の回転シャフトに連結された推進ファンを備える。
【０００８】
特定の態様では、方向逆転伝達機構が、第１の角度だけ機械的な駆動力の経路の方向を変えるための第１の角度付け駆動アセンブリ、及び第２の角度だけ機械的な駆動力の経路の方向を変えるための第２の角度付け駆動アセンブリを備える。
【０００９】
特定の態様では、第１の角度と第２の角度のそれぞれが等しい。
【００１０】
特定の態様では、第１の角度と第２の角度のそれぞれが直角である。
【００１１】
特定の態様では、第１の角度付け駆動アセンブリと第２の角度付け駆動アセンブリが、線形駆動シャフトアセンブリを介して互いに機械的に連結されている。
【００１２】
特定の態様では、第１の角度付け駆動アセンブリが、第１の回転軸を有する第１の回転シャフト、及び第３の回転軸を有する第３の回転シャフトを備え、第１の回転シャフトと第３の回転シャフトが、第１の組の傘歯車を介して互いに機械的に連結されており、第１の回転軸と第３の回転軸は、互いに対して第１の角度で位置決めされている。
【００１３】
特定の態様では、第２の角度付け駆動アセンブリが、第２の回転軸を有する第２の回転シャフト、及び第４の回転軸を有する第４の回転シャフトを備え、第２の回転シャフトと第４の回転シャフトが、第２の組の傘歯車を介して互いに機械的に連結されており、第２の回転軸と第４の回転軸は、互いに対して第２の角度で位置決めされている。
【００１４】
特定の態様では、第３の回転シャフトと第４の回転シャフトが、互いに機械的に連結されている。
【００１５】
特定の態様では、第３の回転シャフトと第４の回転シャフトが、摺動するスプライン継ぎ手を介して、互いに機械的に連結されている。
【００１６】
特定の態様では、方向逆転伝達機構が、方向逆転伝達機構に潤滑剤を供給するための導管マニフォールド及び複数の流体導管を含む。
【００１７】
特定の態様では、航空機の胴体にわたり流れている境界層を摂取するために、推進ファンが航空機上に位置決めされている。
【００１８】
特定の態様では、推進ファンが、胴体に融合している。
【００１９】
特定の態様では、推進ファンが、胴体によって画定された一組の統合ナセルカウリングディフューザを介して、胴体に融合している。
【００２０】
特定の態様では、推進ファンが、胴体の後方胴体サブアセンブリに統合されている。
【００２１】
特定の態様では、胴体が、非円形の断面を有する中央胴体サブアセンブリを含む。
【００２２】
特定の態様では、胴体が、西洋梨型の断面を有する中央胴体サブアセンブリを含む。
【００２３】
特定の態様では、後方胴体サブアセンブリが、複合材料を使用して製造され得る内部構造に固定された複数の胴体スキンピース（skin piece）を有する半張殻（semi-monocoque）構造として製造される。
【００２４】
特定の態様では、機械的に分散された推進システムが、エンジンが排気を後方に放出するように構成された前方配向で構成されている。
【００２５】
特定の態様では、機械的に分散された推進システムが、エンジンが排気を前方に放出するように構成された逆転配向で構成されている。
【００２６】
特定の態様では、エンジンが、排気を後方に再方向付けするための後ろ向きエンジン排気部に連結されている。
【００２７】
特定の態様では、推進ファンが、エンジンから分離してエンジンとは別に位置決めされている。
【００２８】
特定の態様では、推進ファンが胴体に統合され、エンジンが、胴体の範囲内で且つ推進ファンの前方に位置決めされている。
【００２９】
第２の態様によれば、航空輸送体が、胴体、前記胴体に動作可能に設置された主翼セット、前記胴体の後方端にある尾部であって、複数の飛行操縦翼面を有する尾部、前記胴体の後方端において統合された推進ファンであって、前記胴体の後方端が胴体にわたり流れている境界層を推進ファンに向けるための幾何学的形状で形作られている、推進ファン、機械的な駆動力を生成するための胴体内に位置決めされたエンジン、及びエンジンから機械的な駆動力を受け取り、機械的な駆動力を第１の方向から第２の方向に再方向付けするための方向逆転伝達機構を備える。
【００３０】
特定の態様では、第１の方向が、第２の方向とは反対である。
【００３１】
特定の態様では、第１の方向が前方端からであり、第２の方向が前方端に向いている。
【００３２】
特定の態様では、胴体が、非円形の断面を有する中央胴体サブアセンブリを含む。
【００３３】
特定の態様では、胴体が、西洋梨型の断面を有する中央胴体サブアセンブリを含む。
【００３４】
第３の態様によれば、機械的に分散された推進システムを有する航空機を動作させる方法が、エンジンを使用して機械的な駆動力を生成すること、駆動シャフトを介してエンジンから機械的な駆動力を受け取ること、方向逆転伝達機構を介して駆動シャフトから機械的な駆動力を受け取ることであって、方向逆転伝達機構が、第１の回転シャフト及び第２の回転シャフトを備え、第１の回転シャフトが駆動シャフトに動作可能に連結されている、機械的な駆動力を受け取ること、第１の方向から第１の回転シャフトで受け取った機械的な駆動力を、第２の回転シャフトで第２の方向に再方向付けすること、並びに機械的な駆動力を推力に変換するために推進ファンを回転させることであって、推進ファンが第２の回転シャフトに動作可能に連結されている、推進ファンを回転させることを含む。
【００３５】
本開示のこれらの利点及び他の利点は、以下の明細書と添付の図面を参照することによって、容易に理解され得るであろう。
【図面の簡単な説明】
【００３６】
【図１ａ】本開示の一態様による、例示的な航空機の等角図を示す。
【図１ｂ】例示的な航空機の上面図を示す。
【図１ｃ】例示的な航空機の側面図を示す。
【図１ｄ】例示的な航空機の後面図を示す。
【図１ｅ】図１ｅから図１ｇは、それぞれ、例示的な航空機の後方端の上面、側面、及び後面図を示す。
【図１ｆ】図１ｅから図１ｇは、それぞれ、例示的な航空機の後方端の上面、側面、及び後面図を示す。
【図１ｇ】図１ｅから図１ｇは、それぞれ、例示的な航空機の後方端の上面、側面、及び後面図を示す。
【図１ｈ】例示的な航空機の尾部セクションと、推進器へのインレット付近の複雑な幾何学的特徴とを示す。
【図２】図２及び図３は、統合されたエンジンと搭載型のエンジンとの後流及び噴流の比較を示す。
【図３】図２及び図３は、統合されたエンジンと搭載型のエンジンとの後流及び噴流の比較を示す。
【図４ａ】図４ａから図４ｄは、機械的に分散された推進システムアーキテクチャを有する、後部取り付け統合推進システムを有する、後方胴体サブアセンブリを示す。
【図４ｂ】図４ａから図４ｄは、機械的に分散された推進システムアーキテクチャを有する、後部取り付け統合推進システムを有する、後方胴体サブアセンブリを示す。
【図４ｃ】図４ａから図４ｄは、機械的に分散された推進システムアーキテクチャを有する、後部取り付け統合推進システムを有する、後方胴体サブアセンブリを示す。
【図４ｄ】図４ａから図４ｄは、機械的に分散された推進システムアーキテクチャを有する、後部取り付け統合推進システムを有する、後方胴体サブアセンブリを示す。
【図５ａ】図５ａ及び図５ｂは、例示的な推進ファンモジュールを示す。
【図５ｂ】図５ａ及び図５ｂは、例示的な推進ファンモジュールを示す。
【図６ａ】図６ａから図６ｃは、逆転配向にある後部取り付け統合推進システムを示す。
【図６ｂ】図６ａから図６ｃは、逆転配向にある後方取り付け統合推進システムを示す。
【図６ｃ】図６ａから図６ｃは、逆転配向にある後方取り付け統合推進システムを示す。
【図７ａ】図７ａから図７ｃは、中央駆動シャフトを有する前方配向にある後部取り付け統合推進システムを示す。
【図７ｂ】図７ａから図７ｃは、中央駆動シャフトを有する前方配向にある後部取り付け統合推進システムを示す。
【図７ｃ】図７ａから図７ｃは、中央駆動シャフトを有する前方配向にある後部取り付け統合推進システムを示す。
【図８ａ】図８ａから図８ｃは、外側駆動シャフトを有する前方配向にある後部取り付け統合推進システムを示す。
【図８ｂ】図８ａから図８ｃは、外側駆動シャフトを有する前方配向にある後部取り付け統合推進システムを示す。
【図８ｃ】図８ａから図８ｃは、外側駆動シャフトを有する前方配向にある後部取り付け統合推進システムを示す。
【図９】２つの方向逆転伝達機構を有する伝達機構アセンブリを示す。
【図１０ａ】図１０ａから図１０ｆは、例示的な方向逆転伝達機構の外観図及び断面図を示す。
【図１０ｂ】図１０ａから図１０ｆは、例示的な方向逆転伝達機構の外観図及び断面図を示す。
【図１０ｃ】図１０ａから図１０ｆは、例示的な方向逆転伝達機構の外観図及び断面図を示す。
【図１０ｄ】図１０ａから図１０ｆは、例示的な方向逆転伝達機構の外観図及び断面図を示す。
【図１０ｅ】図１０ａから図１０ｆは、例示的な方向逆転伝達機構の外観図及び断面図を示す。
【図１０ｆ】図１０ａから図１０ｆは、例示的な方向逆転伝達機構の外観図及び断面図を示す。
【図１１】方向逆転伝達機構において使用されるシャフト密封アセンブリを有する一組の回転シャフトを示す。
【図１２】単一のエンジンが単一の駆動シャフトを介して複数の推進ファンを駆動するように構成された、例示的な構成を示す。
【発明を実施するための形態】
【００３７】
本開示の好適な実施形態が、以下で添付の図面を参照して説明されてよい。以下の記載では、周知の機能及び説明は詳細には記載されない。なぜならばそれらは、不必要な詳細によって本開示を不明確にし得るからである。以下の記載では、「第１の」「第２の」「頂部」「底部」「側部」「前」「後」などといった用語は、利便性のための用語であって、限定する用語と解釈すべきではない。本明細書で使われているあらゆる実施例又は例示を表す文言（「例えば」、「など」、又はそれらと同様なもの）は、単に実施形態をより良く説明することを意図したものであり、実施形態の範囲を限定するものではない。明細書中の如何なる言葉も、実施形態の実施に必須である請求されていない要素を示すものとして解釈されるべきではない。本開示に対して、以下の用語と定義が適用される。
【００３８】
「約」及び「近似的に」という用語は、値（又は値の範囲）を修正又は説明するために使用されるときに、その値又は値の範囲に適切に近いことを意味する。したがって、本明細書で説明される実施形態は、挙げられた値及び値の範囲にのみ限定されるのではなく、むしろ適切に働き得る偏差を含むべきである。
【００３９】
「航空輸送体」及び「航空機」という用語は、限定するものではないが、滑走路を使用する航空機及び垂直離着陸（VTOL）航空機を含む、飛行可能な機会を指す。
【００４０】
「及び／又は」という用語は、「及び／又は」によって接合されるリスト内の項目の任意の１以上を意味する。一実施例として、「ｘ及び／又はｙ」は、３つの要素の組｛（ｘ）、（ｙ）、（ｘ、ｙ）｝のうちの任意の要素を意味する。言い換えると、「ｘ及び／又はｙ」は、「ｘとｙのうちの一方又は両方」を意味する。別の一実施例として、「ｘ、ｙ、及び／又はｚ」は、７つの要素の組｛（ｘ）、（ｙ）、（ｚ）、（ｘ、ｙ）、（ｘ、ｚ）、（ｙ、ｚ）、（ｘ、ｙ、ｚ）｝のうちの任意の要素を意味する。言い換えると、「ｘ、ｙ、及び／又はｙ」は、「ｘ、ｙ、及びｚのうちの１以上」を意味する。本明細書で用いる用語「例示」とは、非限定的な例、実例、又は説明の役割を果たすことを意味する。本明細書で使用される際に、「例えば（e.g.）」及び「例えば（for example）」という用語は、１以上の非限定的な実施例、事例、又は例示のリストを強調している。
【００４１】
「複合材料」という用語は、付加物質（additive material）及び基質物質（matrix material）を含む材料を指す。例えば、複合材料は、繊維状の付加物質（例えば、繊維ガラス、ガラス繊維（「GF」）、炭素繊維（「CF」）、アラミド／パラアラミド合成繊維、FMLなど）、並びに基質物質（例えば、非限定的に、プラスチック樹脂、ポリエステル樹脂、ポリカーボネート樹脂、注型用樹脂、ポリマー樹脂、熱可塑性物質、アクリル樹脂、化学樹脂、及び乾燥樹脂を含む、エポキシ、ポリイミド、アルミニウム、チタニウム、及びアルミナ）を備え得る。更に、複合材料は、基質物質内に埋め込まれた特異性繊維を備え得る。一方、ハイブリッド複合材料は、何らかの補材（例えば、２以上の繊維材料）を原繊維／エポキシマトリックスに付加することで実現され得る。
【００４２】
とりわけ、機械的に分散された推進システムアーキテクチャを有する後部取り付け統合（すなわち、胴体と融合した）推進システムを介した境界層摂取（BLI）によって、既存のジェット機よりも改善された効率を提供する航空機が開示される。本明細書で開示される航空機は、既存の短距離から中距離までの細い胴体のジェット機（例えば、ボーイング７３７〜８００）に匹敵した飛行ミッション性能を有する。この目的のために、航空機は、ボーイング７３７〜８００に匹敵するエンジンを使用して動作し、必要に応じて、既存の材料を使用して製造され、環境への影響も大幅に低減するように設計されてよい。すなわち、既存の短距離から中距離までの細い胴体（又は太い胴体）の航空機に比べて、本開示の航空機は、燃料消費量を７１％低減させ、騒音を（例えば、デシベル単位の有効知覚騒音レベル（EPNdB）で６０）低減させ、低温酸化（LTO）NOxを８７％低減させることができる。
【００４３】
効率向上は、航空機を個別の部品のアセンブリよりもむしろ単一の統合されたシステムとして考慮し、緊密に統合された設計アプローチを行った結果である。先ず、後部取り付け統合された推進システムを採用することにより、推力要件が低減され、それは、より小さいエンジンを使用することができ且つ重量及び燃料消費を低減させることができることを意味する。
【００４４】
次に、後部取り付け統合された推進システムは、機械的に分散された推進システムアーキテクチャを採用してよい。それは、幾つかの利点を提供する。例えば、機械的に分散された推進システムアーキテクチャは、複数のエンジン構成要素の高速スプールをずらして側方への衝撃リスクを低減させることによって、非包含エンジンローター故障（UERF）１：２０規制へのより好適な適合性を示し、更に、エンジンの重心を前方（又は場合によっては後方）に移動することによって、より好適な航空機重量及びバランスを実現することができる。更に、機械的に分散された推進システムアーキテクチャにより、エンジンを考慮せずにBLIファン及びインレットを最適化することができると共に、緊密に統合された推進器よる低いファン圧縮比（FPR）と、ファン及びエンジンのシールドによる騒音に関する利点も可能になる。結果として、エンジンのアクセス性が向上し、一方で、ファンナセルの濡れ面積及び重量が低減される。実際、機械的に分散された推進システムアーキテクチャは、既存のエンジンコアアーキテクチャに対する最小の修正を要求する。というのも、修正は駆動ラインに限定されてよいからである。
【００４５】
最後に、航空機の胴体の断面積は、非円形であってよい。例えば、胴体は、西洋梨型の胴体、卵型の胴体、又は非円形断面を有する別の胴体であってよい。実際、広い非円形胴体によって生成される増加した揚力は、航空機であれば重量を搬送するためにより小さい主翼が必要とされることを意味し、所与のミッションを飛行するためにより少ない燃料が必要とされることをもたらす。例えば、卵型の胴体が所望である場合、２つのクリップされた円形（又は半円形）セクションの間に実質的に矩形のセクションを配置することができる。航空機は、概して、西洋梨型の航空機として示されることになるが、胴体の断面は、別の非円形状であってよい。
【００４６】
図１ａから図１ｈは、本開示の一態様による例示的な航空機１００を示している。具体的には、図１ａが、航空機１００の等角図を示しており、図１ｂが、航空機１００の上面図を示している。図１ｃは、航空機１００の側面図を示し、図１ｄは、航空機１００の後面図を示している。図１ｅから図１ｈは、それぞれ、尾部１０６を有する航空機１００の後方端の上面図、側面図、後面図、等角図を示している。本開示の一態様によれば、航空機１００は、約７０から２７０フィート、より好適には約９０から１４０フィート、最も好適には約１１８フィートの翼長を有する、固定翼航空機であってよい。航空機１００の長さは、約９０から２５０フィート、より好適には約９０から１４０フィート、最も好適には約１１５フィートであってよい。しかし、当業者のうちの一人が理解するように、航空機１００は、例えば、与えられたミッション（すなわち、飛行目的及び／又は飛行計画）に基づく特定の目的の達成を容易にするように拡大（又は縮小）されてよい。
【００４７】
航空機１００は、概して、本明細書で有人（例えば、航空機１００が、作業人員用の操縦室を含む）として説明されるが、航空機１００が無人及び／又は完全に自律した航空機である（すなわち、パイロットの制御を必要としない）ときに、操縦室は省略されてよい。例えば、航空機１００は、搭載型の自律した自動操縦装置、又は作業人員、コンピュータオペレータ（例えば、遠隔自動操縦装置）、若しくは基地局によって、無線通信リンクを介して遠隔から制御されてよい。ミッションの必要性（例えば、機動性、範囲、及びペイロード容量）次第で、航空機１００の無人変形例は、有人のものに対して（例えば、約４０から６０％だけ、又は約５０％）縮小されてよい。
【００４８】
図示されているように、航空機１００は、概して、胴体１０２、２つの主翼１１０、尾部１０６、及び飛行に必要な推力を生成するための統合推進システムを備える。説明されることとなるように、統合推進システムは、機械的に分散された推進システムアーキテクチャ設計を採用してよい。その場合、（ダクトファンとして図示されている）一組の統合推進ファン１０８は、（例えば、一組の統合ナセルカウリングディフューザ１１６の範囲内で）胴体１０２の後方端に位置決めされ、エンジン４１４は、胴体１０２の範囲内の他の場所に位置決めされる。エンジン４１４は、駆動ライン又はドライブトレインを介して、推進ファン１０８に連結されてよい。駆動ライン又はドライブトレインは、前方配向又は逆転配向の何れかで構成されてよい。
【００４９】
航空機１００は、着陸装置１１２（例えば、ノーズエンド着陸装置１１２ａ及び主たる着陸装置１１２ｂ）、１以上の燃料タンク、アビオニクスベイ、ペイロードベイ、熱交換器（例えば、ファンによる空冷オイル冷却器）、（例えば、胴体１０２にわたる境界層から）空気を推進ファン１０８に供給し、それによって、BLIを促進するための２つ以上の前向きファンインレット１１４を更に含んでよい。例えば、各推進ファン１０８は、直径が１２から６０インチ、より好適には２４から４８インチ、最も好適には約３８インチであってよい。例えば、各推進ファン１０８は、〜１．４５FPR（〜１．３５非BLI等価物）で、１０から３０のブレード、より好適には１５から２５のブレード、最も好適には約１８から２０のブレードを採用してよい。
【００５０】
胴体１０２は、胴体１０２の長さに沿って縦方向に走る１以上の縦方向の中央構造要素（例えば、張力ウェブ）で区分けされてよい。例えば、胴体１０２は、概して、前方胴体サブアセンブリ１０２ａ、中央胴体サブアセンブリ１０２ｂ、及び後方胴体サブアセンブリ１０２ｃを備えてよい。その場合、前方、中央、及び後方胴体サブアセンブリ１０２ａ、１０２ｂ、１０２ｃは、別々に製造され、１以上の縦方向の構造構成要素を介して接合される。場合によって、前方胴体サブアセンブリ１０２ａは、概して、操縦室を備え、一方、中央胴体サブアセンブリ１０２ｂは、概して、（例えば、貨物及び／乗客用の）ペイロードセクションを画定する。後方胴体サブアセンブリ１０２ｃは、テールセクション（例えば、尾部１０６）を画定し、とりわけ、推進ファン１０８又は別の推進デバイスを収容するための、統合ナセルカウリングディフューザ１１６を含む。後方胴体サブアセンブリ１０２ｃは、尾部１０６に統合されてよく、又は尾部１０６に連結されてよい。
【００５１】
特定の態様において、胴体１０２の断面は、非円形であってよく、西洋梨型の胴体を採用してよい。その場合、その断面は、胴体１０２の長さ（例えば、そのノーズからテールまで）だけ走ることができる縦方向の中央構造要素の各側から突出している２つの「バブル」又はローブに似ている。例えば、航空機１００の中央胴体サブアセンブリ１０２ｂの断面は、概して、胴体１０２の上部及び底部上のローブ接合部（したがって、「Ｙ接合」の形態）に位置付けられた構造要素（すなわち、中央構造要素）との尖った又は平行な交差の何れかを有する、断面の中心において接合された２つの並んだ円筒形状のローブを画定してよく、実質的に楕円形の外側モールドラインの胴体１０２断面をもたらす。例えば、各ローブは、半球、卵型などであってよい。
【００５２】
統合推進システムのBLIを促進することに加えて、非円形胴体１０２は、環境性能及び効率の大幅な改善を提供することができる。例えば、従来型のチューブ（すなわち、円形断面）を非円形胴体１０２で置き替えることは、（１）胴体のキャリーオーバー揚力を高め、それは露出した主翼面積を縮小し軽くし、（２）上昇トリミングモーメントを提供し、それは水平尾翼を縮小し、主翼を更に縮小する、（３）胴体側面の荷重伝達ポイントをより遠くに移動させ、部分的なスパン荷重と重量の低減を実現し、（４）着陸装置に胴体側面へのより短い荷重経路を提供し、より軽い着陸装置支持構造をもたらし、（５）そのより短いテールによるより短い着陸装置の支柱を可能にし、（６）より短い客室／胴体１０２によるより少ない窓を提供し、したがって、重量を低減させ、（７）床中央支持体（例えば、中央構造要素）を使用することによって床梁重量を低減させ、（８）水平尾翼を軽くするツインフィンの「パイテール」又は「πテール」構成を受け入れ、水平尾翼を軽くし、後方端に向けて推進器の設置用の統合ナセルカウリングディフューザ１１６を受け入れる。対称な垂直安定板１０６ｂが、テールスパー角度に位置合わせされたテール支持構造体４０８に取り付けられてよい。対称な垂直安定板１０６ｂは、図１ｄで示されているように、わずかなＶ字状に配置されてよい。
【００５３】
図１ｅから図１ｇは、後方胴体サブアセンブリ１０２ｃ及び尾部１０６の一般的な配置を示している。後方胴体サブアセンブリ１０２ｃは、内部構造の周りに固定され且つ固着された２つ又は３つの主たる航空機スキンピース（例えば、パネル）を有する、半張殻構造であってよい。張殻構造は、シャーシが胴体に統合されている構造を指し、一方、半張殻構造は、純正な張殻構造と類似した応力を加えられたシェル構造を指すが、従来の補強材から少なくとも一部の強度を引き出す。尾部１０６は、概して、１以上の水平安定板１０６ａ及び垂直安定板１０６ｂを備える。尾部１０６は、２つの垂直方向ラダー１０６ｄ及び少なくとも２つのエレベータ１０６ｃを有する、余剰な操縦翼面を含んでよい。尾部１０６は、例えば、胴体に搭載される、十字形の、Ｔテールの、飛行尾翼、又は、図１ａから図１ｈで示されているように、パイテール（すなわち、πテール）を含む、複数のテール構成のうちの１つとして構成されてよい。図示されている尾部１０６の３つの空力面（すなわち、２つの対称な垂直安定板１０６ｂと水平安定板１０６ａ）は、コアが補強されたスキンを有する複合材アセンブリを使用して製造されてよい。尾部１０６の空力面は、主たるスパーに２箇所、後方スパーに３箇所の構造的に決定的な３ポイントアタッチメントを介して、それらの空力面が、互いに及び胴体１０２に取り付けられたところの、主たるリフトスパー及びより小さい後方スパーを有する。垂直安定板１０６ｂの後方胴体サブアセンブリ１０２ｃへの取付けのための例示的な技術は、傾斜した篏合オフセット隔壁を有する胴体の中へ突出したスペード型のスパー延在部、及び２つの胴体の表面交差部分に位置付けられた「ナックル」タイプのマルチラグフィッティング配置である。Ｖ形状の水平安定板１０６ａが図示されている一方で、直線的な水平安定板を含む他の形状が考慮される。対称な垂直安定板１０６ｂが、テールスパー角度に位置合わせされたテール支持構造体に取り付けられてよい。対称な垂直安定板１０６ｂは、図１ｄで示されているように、わずかなＶ字状に配置されてよい。
【００５４】
航空機１００のノーズエンド着陸装置１１２ａ及び主たる着陸装置１１２ｂのシステムが、タクシング及び着陸中の衝撃を吸収するために、空気及び／又はオイルタイプの着陸装置の支柱を採用してよい。特定の態様では、主たる着陸装置１１２ｂの衝撃吸収能力が、トレーリングリンクの強化により強化されてよい。例えば、主たる着陸装置１１２ｂは、車軸と摺動ポイントの間に連結され、車軸及び摺動ポイントに対して垂直であり、車軸及び摺動ポイントの前方にある１以上のリンクを有する、トレーリングリンクサスペンションを含んでよい。ノーズエンド着陸装置１１２ａの操縦システムが、航空機１００の三重飛行コンピュータ（又は他の制御システム）によって命令される電気機械式アクチュエータを採用してよく、液圧でブーストされたノーズエンド着陸装置１１２ａの操縦ラムを、スプール弁を通して駆動して、必要とされる操縦角度を実現する。操縦角度のフィードバックが、回転ポテンショメータによって生成されてよい。アキュムレータを使用して、低エンジン速度での高帯域幅動作中に、適切な圧力と流量を提供することができる。例えば、ノーズエンド着陸装置１１２ａは、左と右で６０から９０度（例えば、７５度）の角度を操縦することができる。ノーズエンド着陸装置１１２ａ及び主たる着陸装置１１２ｂは、搭載型の液圧動力を使用して、電気的に制御される液圧作動システムを介して、後退及び延伸することができる。航空機１００の制動システムも、電気的に制御され、液圧で作動される。例えば、液圧絞り弁を作動させる電気機械式アクチュエータに対して、三重飛行制御ユニットを介して制御が実現され得る。左右の制動システム圧力センサを介して、三重飛行制御ユニットへのフィードバックが実現されてよい。液圧が、エンジン駆動液圧システムから生成されてよく、シャトル弁の使用を介したブレーキキャリパーに対する直接的なガス緊急圧力供給の使用によって、バックアップ制動システムが実現される。
【００５５】
胴体１０２、主翼１１０、及び尾部１０６を含む、航空機１００の機体構造は、１以上の金属、金属合金、又は複合材構造物を使用して製造されてよい。複合材構造物は、複合材積層体を含んでよい。例えば、複数の金属、金属合金、又は複合材構造物が組み立てられ、（例えば、アルミニウム、チタニウム、軽量合金などを使用して製造され得る、金属製部品を使用して）共硬化プロセス、共接合プロセス、又は機械的な取り付けを通じて接合されてよい。航空機１００（例えば、胴体１０２）は、航空機グレードの金属合金から製造されてよいが、複雑な幾何学的形状を有する構造体を製造するときに、複合材料は金属と比較して特定の利点を提供する。例えば、BLI特徴に関連して、後方胴体サブアセンブリ１０２ｃが、中央胴体サブアセンブリ１０２ｂからの境界層を、推進ファン１０８のファンインレット１１４に向けるための、複雑な幾何学的形状を採用してよい。図１ｈは、中央胴体サブアセンブリ１０２ｂの上面を統合ナセルカウリングディフューザ１１６に適合させるための、複雑な幾何学的形状１０４を提供する、後方胴体サブアセンブリ１０２ｃの等角図を示す。したがって、成形される複合材積層板は、ラップされ又は複数が接合された金属構成要素の質量ペナルティー又は荷重集中なしに、複雑な幾何学的形状の輪郭に従うように、連続する構造質量に適合し、連続する構造質量を提供するように形作られてよい。航空機１００に関して、一実施例として、後方胴体サブアセンブリ１０２ｃは、中央胴体サブアセンブリ１０２ｂの上面を（１以上の）統合ナセルカウリングディフューザ１１６に適合させ、それによって、中央胴体サブアセンブリ１０２ｂからの境界層を推進ファン１０８に結合された前向きファンインレット１１４に向けるための、複雑な幾何学的形状を提供する。したがって、複合材構造体は、後方胴体サブアセンブリ１０２ｃ及び任意の他の複雑な幾何学的形状１０４を有する構造体用に、より適切なものとなっているだろう。生産性及び性能を最大化するために、胴体スキンは、ストリンガなどの胴体１０２の他の構成要素と共硬化されてよい。
【００５６】
航空機１００は、概して、ツインエンジン４１４を有するツイン推進ファン１０８を有する機械的に分散された推進システムアーキテクチャで説明されることになるが、既製のエンジン（又はそれらの修正版）、単一のエンジンを有するツインファン（その一実施例が、図１２で示されている）、ハイブリッド電気変形例、後方BLI推進器を有するポッド型の変形例などを含む、他の推進システムが考慮される。例えば、電気モータを介して統合推進ファン１０８に動力供給するための例示的なハイブリッド電気システムが、2017年1月11日に出願された、「Hybrid Propulsion Vertical Take-Off and Landing Aircraft.」という名称のFrancesco Gianniniらによる共同所有の、米国特許公開番号2017/0203839によって、より詳細に説明されている。
【００５７】
境界層摂取（BLI）推進境界層摂取（BLI）は、推進システムを介して胴体１０２からの境界層の活性化（re-energization）を通じて、燃料消費量を低減させることによって、航空機の性能を大幅に改善する。当業者によって理解され得るように、境界層という用語は、航空機１００の表面に隣接して（例えば、主翼１１０又は胴体１０２にわたり）移動する気流の部分を指す。その場合、粘性力が、周囲の非粘性流れを歪める。しかし、BLIを実現することは、特定の課題を有する。というのは、BLIが気流の歪みをエンジンの中へ導入するからである。歪みを軽減するために、既存の民間輸送航空機は、大きな直径のターボファンエンジンによって動力供給される。それは、通常、ターボ機械要素に統合された直接駆動又は並列同軸駆動ファンを有する。
【００５８】
非円形胴体１０２は、より小さい空力面の好循環及びより好適な着陸装置の配置を通じて重量を低減させることに加えて、BLI用の推進ファン１０８の統合を可能にするための、構造的統合ナセルカウリングディフューザ１１６を提供する。更に、複合材料を採用することは、最小の質量を有するファンインレット１１４における複雑な幾何学的形状１０４の製造を容易にする。例示のために、２つ以上の推進ファン１０８が、（例えば、パイテールの）垂直安定板１０６ｂの間の胴体１０２の本体流れ場の中へ統合されてよい。航空機１００の推進ファン１０８は、胴体１０２にわたり流れている境界層の大部分を摂取するように構成されている。推進ファン１０８は、（例えば、図３で示されているような）従来のポッド型エンジン３０２とは異なり、胴体１０２にわたる境界層を摂取して、推進効率を改善し抵抗を低減させることができる。更に、エンジンの反力荷重は、胴体１０２との接合部に対する尾部１０６の剛性を最も良く利用して、胴体スキンに荷重を分散させるように設計されている。２つの推進ファン１０８が図示されているが、当業者のうちの一人は、更なる推進ファン１０８（又は単一の統合された推進ファン１０８さえも）が、所与の航空機の推力要求及び（１以上の）推進器のサイズに応じて採用されてよいことを理解するだろう。
【００５９】
BLIの利益を示すために、図２及び図３が、それぞれ、統合された推進ファン１０８と搭載型のエンジンとの後流及び噴流の比較を示している。図２で示されているように、推進ファン１０８が胴体１０２の中に統合されたときに、航空機の後流と推進噴流が組み合され、それによって、無駄に捨てられる運動エネルギー全体を低減させ、したがって、推進効率の改善をもたらす。実際、風洞試験は、BLIの直接的な空力的利益を示している。具体的には、統合推進システムを有する航空機１００は、約８％の空力的利益を生み出す。それは、複数の風洞エントリ、レイノルズ数、及び飛行条件を通じて確認された。完全に最適化された航空機プラットフォームで使用されるときに、８％の空力的な直接の利益は、重量や必要とされる動力などにおける螺旋状の低減（spiral reduction）を通じて、１５％のシステム燃料利益を意味することになる。
【００６０】
しかし、推進ファン１０８を胴体１０２の後部の中に統合することは、胴体BLIを介した推進効率を改善し、エンジンに対する流れ整列を提供して、最小軽量ナセルを可能にし、エンジンから出るヨーモーメントを大幅に低減させ、垂直尾翼面積及び重量を縮小し、推進器ファンの面が地上から見えないので、騒音シールドを提供し、フィンストレーク（fin strake）がエンジン／テール取付けパイロンとして機能することを可能にし、更なる音響シールドを提供する。その流路の邪魔になる駆動設計は、BLIの有効性を低減させる。したがって、BLIを有する航空機の設計における障害は、中央胴体サブアセンブリ１０２ｂから推進ファン１０８まで且つ推進ファン１０８の中へ気流を導くことにおける妨害の全てを取り除くことである。もう１つの重要な課題は、エンジンコアが、エンジン／推進ファンの中への気流の歪みから離れるように移動されなければならないことである。実際、それらの高出力のためにより大きなエンジンが所望される場合、重量／バランス問題を緩和させるために、それらのエンジンの密度は前方に位置付けられるべきである。それは、エンジンからの出力シャフト動力を、推進システムの後部（例えば、推進ファン１０８）へ連結するための、機械的なリンケージを必要とする。
【００６１】
したがって、本開示の後部取り付け統合推進システムは、統合されたBLI航空機構成のエンジンコア位置問題及び他の課題に対処するために、機械的に分散された推進システムアーキテクチャを採用することができる。具体的には、機械的に分散された推進システムアーキテクチャでは、エンジン４１４が、駆動ラインを通じて遠隔に位置付けられた推進ファン１０８に機械的に連結されてよい。駆動ラインは、速度及び方向変更用の１以上のギアボックスを含んでよい。したがって、遠隔から動力供給される推進ファン１０８は、エンジンの形状／質量のためのパッケージングを考慮することなく、許容歪みに対して最適化することができる。言い換えると、機械的に分散された推進システムアーキテクチャは、エンジン４１４が、航空機１００の好適な設置エリア内に位置付けられることを可能にする一方で、推進ファン１０８は、BLIを促進するように位置決めされてよい。好適な設置エリアは、UERF規制、航空機の重量／バランスの考慮事項、気流の歪みなどに応じて、決定することができる。
【００６２】
図４ａから図４ｄは、機械的に分散された推進システムアーキテクチャを有する、後部取り付け統合推進システムをより良く示すために胴体スキンが取り除かれた、後方胴体サブアセンブリ１０２ｃを示している。図示されているように、後方胴体サブアセンブリ１０２ｃは、前方隔壁４０２、中間隔壁４０４、後方隔壁４０６、テール支持構造体４０８、及びファン支持隔壁４２４などの１以上の隔壁を介して、後部取り付け統合推進システムの構成要素を支持することができる。ファン支持隔壁４２４は、テール支持構造体４０８に統合されてよい。隔壁のそれぞれは、複合材料から製造されてよい。その場合、ファイア区域（すなわち、高熱区域）内に位置決めされた複合材料は、セラミック外側プライの１以上の層を含んでよい。後方胴体サブアセンブリ１０２ｃは、後部取り付け統合推進システムによって生成された熱（又は火）によってもたらされ得る、胴体１０２への損傷を軽減するための１以上のファイアウォールを更に採用してよい。例えば、前方隔壁４０２は、着脱可能なファイアウォール４１２を収容するように形作られ得る一方で、中央ファイアウォール４１０は、（図４ｂで最も良く示されているように）中間隔壁４０４と後方隔壁４０６との間に位置決めされてよい。着脱可能ファイアウォール４１２と中央ファイアウォール４１０のそれぞれは、非構造的（すなわち、荷重を支えない）であってよく、例えば、チタニウムやチタニウム合金などから製造されてよい。
【００６３】
後部取り付け統合推進システムは、概して、一組の推進ファン１０８及び一組のエンジン４１４を備え、エンジン４１４のそれぞれは、駆動シャフト４１６及び方向逆転伝達機構４２２を介して、推進ファン１０８を駆動する（すなわち、回転させる）ように構成されている。駆動ラインは、速度（例えば、調整可能なギア比を介して）及び／又は方向変化を提供するための、１以上のギアボックス４２６を更に備えてよい。１以上のギアボックス４２６は、エンジン４１４からの出力と方向逆転伝達機構４２２への入力との間にインラインで提供されてよい。例えば、図６ａ、図７ａ、及び図８ａで最も良く示されているように、ギアボックス４２６は、エンジン４１４の出力部において、しかし、駆動シャフト４１６の前に位置決めされてよい。
【００６４】
例えば、各エンジン４１４は、ターボシャフトエンジン（とりわけ、ターボシャフト機械駆動力生成器）であってよい。ターボシャフトエンジンは、ジェット推力よりむしろシャフト動力（すなわち、機械的な駆動力）を生成するように最適化された、ガスタービンの一形態である。一実施例では、エンジン４１４が、３．５MW（5000shp）クラスのターボシャフトであってよいが、サイズは、航空機１００用の設計及び性能要件に応じて選択されてよい。図５ａで示されているように、ファン支持隔壁４２４と一組の推進ファン１０８は、互いに連結されて、推進ファンモジュール５００を画定してよい。図５ｂで示されているように、推進ファンモジュール５００は、後方胴体サブアセンブリ１０２ｃの中に統合されてよく、一組の方向逆転伝達機構４２２（及びギアボックス４２６）を介して、エンジン４１４に機械的に連結されてよい。
【００６５】
一組の方向逆転伝達機構４２２が、露出しているように図示されているが、それらは、航空機１００の空力特性を改善し、それによって、乱流を低減させるための、シールドされたフェアリング内に収容されてよい。一組の推進ファン１０８は、その流れ場が、胴体１０２から（例えば、中央胴体サブアセンブリ１０２ｂから）境界層のかなりの部分を取り込むように位置決めされてよい。駆動ラインの駆動シャフト４１６及び他の機械的なリンケージは、例えば、金属材料、複合材料、及び／又は、真鍮、銅合金、アルミニウム、鋼、合金鋼、ステンレス鋼、チタニウム、ケブラー、ホウ素、エポキシ複合材、炭素繊維などの、航空宇宙材料から製造されてよい。
【００６６】
各エンジン４１４は、エンジン４１４への気流供給を受け取るための前向きエンジンインレット４１８、及びエンジン４１４からの排気を放出するための後ろ向きエンジン排気部４２０を有するように図示されている。図４ｄで示されているように、後部取り付け統合推進システムは、エンジン４１４からの排気４２８が、エンジン４１４の前方から（例えば、航空機１００のノーズに向けて）放出され、次いで、後ろ向きエンジン排気部４２０を介して、航空機１００のテールに向けて後方に再方向付けされ放出される、逆配向にある構成であってよい。前向きエンジンインレット４１８は、後方胴体サブアセンブリ１０２ｃの側面上に位置決めされた特定の形で図示されているが、前向きエンジンインレット４１８は、とりわけ、後方胴体サブアセンブリ１０２ｃの底面を含む、後方胴体サブアセンブリ１０２ｃ上の何れかの位置に位置決めされてよい。同様に後ろ向きエンジン排気部４２０は、後方胴体サブアセンブリ１０２ｃの底面上に位置決めされた特定の形で図示されているが、後ろ向きエンジン排気部４２０は、とりわけ、後方胴体サブアセンブリ１０２ｃの側面又は最も後方の領域（例えば、後端）を含む、後方胴体サブアセンブリ１０２ｃ上の何れかの位置に位置決めされてよい。
【００６７】
各方向逆転伝達機構４２２は、Ｕ字形状であってよい。それによって、方向逆転伝達機構４２２の第１の端部は、駆動シャフト４１６を介して、第１の回転軸を有するエンジン４１４から機械的な駆動力（例えば、トルク及び回転力）を受け取るように構成され、第１の回転軸に平行な第２の回転軸を有する方向逆転伝達機構４２２の第２の端部において機械的な駆動力を出力する前に、２つの直角（すなわち、９０度）継ぎ手を通じて機械的な駆動力を伝達する。但し、第２の回転軸は、第１の回転軸に対して１８０度だけ旋回している。
【００６８】
本開示の主題から理解され得るように、機械的に分散された推進システムアーキテクチャのもう１つの利点は、後部取り付け統合推進システムの様々な構成要素が、様々な航空機構成に適合するように再配置され得るということである。例えば、必要に応じて、後部取り付け統合推進システムは、エンジン４１４の重心を後方に（すなわち、後ろに）移動させることによって、好適な航空機の重量及びバランスを提供するために再配置されてよい。
【００６９】
図６ａは、機体が省略された逆配向にある後部取り付け統合推進システムを示している。一方で、図６ｂ及び図６ｃは、それぞれ、後方胴体サブアセンブリ１０２ｃ内に設置された後部取り付け統合推進システムの上面図及び側面図を示している。図示されているように、後部取り付け統合推進システムは、エンジン４１４からの排気が、前方に放出されてよく、後ろ向きエンジン排気部４２０を介して航空機１００のテールに向けて再方向付けされてよい、逆配向にあるように構成されていてよい。逆配向の利点は、（１以上の）エンジン４１４の重心が、機体１０２内で推進ファン１０８から離れるように前方に移動されるということである。逆配向は、より長い胴体１０２を有する航空機１００で特に有用であり得る。その場合、飛行中にバランスを維持するために、重心が前方に移動することが望ましい。駆動シャフト４１６は、一組の推進ファン１０８の間で、後方胴体サブアセンブリ１０２ｃの縦方向の中心軸に沿って延在するように示されているが、駆動シャフト４１６は、その代わりに、一組の推進ファン１０８（の左及び右）の周りで、後方胴体サブアセンブリ１０２ｃの外側横側（すなわち、アウトボード）に沿って経路指定されてよい。
【００７０】
図７ａから図７ｃで示されているように、後部取り付け統合推進システムは、エンジン４１４からの排気が、航空機１００のテールに向けて後方（後ろ）に放出され、後ろ向きのエンジン排気部４２０を介して放出され、排気を再方向付けする必要性を取り除く、前方配向にあるように構成されてよい。そのような配置では、エンジン４１４の重心が、テールに向けて後ろ／後方に移動する。前方配向は、より短い胴体を有する航空機の場合などの、重心が前方に移動される必要がない場合、又は大きなペイロード（例えば、諜報、監視、及び偵察（ISR））が、航空機１００の前に向けて搬送される（例えば、取り付けられる）場合、航空機において有用であろう。言い換えると、エンジン４１４は、胴体１０２の前にあるハードウェア位置のバランスを維持するために後ろ／後方に移動される。
【００７１】
図７ａは、機体が省略された前方配向にある後部取り付け統合推進システム７００を示している。一方で、図７ｂ及び図７ｃは、それぞれ、後方胴体サブアセンブリ１０２ｃ内に設置された後部取り付け統合推進システムの上面図及び側面図を示している。駆動シャフト４１６は、一組の推進ファン１０８の間で、後方胴体サブアセンブリ１０２ｃの縦方向の中心軸に沿って延在するように示されているが、図８ａから図８ｃで示されているように、駆動シャフト４１６は、その代わりに、一組の推進ファン１０８（の左及び右）の周りで、後方胴体サブアセンブリ１０２ｃの外側横側に沿って経路指定されてよい。具体的には、図８ａが、後方胴体サブアセンブリ１０２ｃの外側横側に沿って位置決めされた駆動シャフト４１６を有する、機体が省略された前方配向にある後部取り付け統合推進システム８００を示している。一方で、図８ｂ及び図８Ｃは、それぞれ、後方胴体サブアセンブリ１０２ｃ内に設置された後部取り付け統合推進システム８００の上面図及び側面図を示している。
【００７２】
図９は、構造隔壁９０２を介して互いに対して所定の角度（すなわち、∠Ａ）で位置決めされた２つの方向逆転伝達機構４２２を有する、伝達機構アセンブリ９００を示している。理解され得るように、所定の角度は、推進ファン１０８とエンジン４１４の位置との間の距離に応じて調整されてよい。動作の際には、エンジン４１４が、機械的な駆動力を生成し、それが駆動ラインを介して推進ファン１０８に伝達される。駆動ラインは、実際に、エンジン４１４からの機械的な駆動力を推進ファン１０８に伝達し、次いで、推進ファン１０８が、機械的な駆動力を飛行のために必要な推力（すなわち、航空機１００を推進するための、航空機の胴体への抵抗及び慣性に打ち勝つのに十分な空力流れ動力）に変換する。例えば、駆動ラインは、１以上の駆動シャフト、カプラ、及びギアボックス４２６を含んでよい。ギアボックス４２６は、速度及び／又は方向の変更を提供する。
【００７３】
既存の駆動シャフト設計は、胴体１０２の内側に取り付けられたエンジンから機械的な駆動力を受け取り、機械的な駆動力を後ろ（前方‐後方）に単にパスして、機体の主たる構造と同じ方向に出す。一方で、本開示の方向逆転伝達機構４２２は、機械的な駆動力を一方向（例えば、前方から後方）から異なる方向（例えば、後方から前方）に再方向付けすることができる。より具体的には、各方向逆転伝達機構４２２が、回転シャフト１０１６を介して、その入力端において駆動シャフト４１６を介して、１以上の前方に位置付けられたエンジン４１４から機械的な駆動力を受け取る。次いで、方向逆転伝達機構４２２は、２つの角度付け駆動アセンブリ１００２を介して、この機械的な駆動力をその入力端において前方（後方から前方）に、そして、上側回転シャフト１０１６を介して、（図５ｂで最も良く示されているように）推進ファン１０８の後方非臨界面に向けるように、この機械的な駆動力の方向を変える。下側及び上側回転シャフト１０１６のそれぞれの外面は、駆動シャフト４１６又は推進ファン１０８の中央ハブ（例えば、中央ハブの後面）に位置決めされたスプラインに対応するスプラインを画定するように形作られてよい。一実施例では、入力回転シャフト１０１６が、5,400rpm（〜5,000馬力）で回転して、出力回転シャフト１０１６が、4,800から5,000ft-lbsのトルクを推進ファン１０８に出力する。
【００７４】
エンジン４１４を推進ファン１０８から遠隔に位置決めすることによって、且つ、機械的な駆動力をその後方非臨界面において推進ファン１０８に供給することによって、前向きファンインレット１１４への空気の流れは邪魔されない。言い換えると、方向逆転伝達機構４２２は、第１の角度付け駆動アセンブリ１００２を介して、第１の所定の角度（直角として図示されている）だけエンジン４１４からの機械的な駆動力の経路の方向を変えることによって、動力経路を推進ファン１０８に向けて上向きにパスする。次いで、方向逆転伝達機構４２２は、第２の角度付け駆動アセンブリ１００２を介して、第２の所定の角度（これもまた直角として図示されている）だけ機械的な駆動力の経路の方向を、推進ファン１０８の中央ハブの後面に変える。図９で示されている伝達アセンブリ９００は、後方胴体サブアセンブリ１０２ｃの後方位置において、シャフト動力を２つの独立した方向逆転伝達機構４２２に供給する、２つのエンジン４１４用の駆動設計を描いている。特定の態様では、伝達アセンブリ９００が、（図９から省略されている）回転駆動シャフト４１６を環境から保護するためのシャフトカバー９０４を含んでよい。構造隔壁９０２は、各方向逆転伝達機構４２２の下側端部を位置付けるように、且つ、後方胴体サブアセンブリ１０２ｃの中への荷重経路を提供するために設けられている。
【００７５】
図１０ａから図１０ｄは、それぞれ、例示的な方向逆転伝達機構４２２の斜視図、後面図、側面図、及び切り取り側面図を示している。方向逆転伝達機構４２２は、エンジン４１４からの駆動シャフト４１６に位置合わせし、且つ、推進ファン１０８に位置合わせするために必要な角度における、入力及び出力シャフトの精密な位置決めを可能にする。上側の角度付け駆動アセンブリ１００２を出ると、機械的な駆動力は、推進ファン１０８の入力駆動インターフェース（例えば、中央ハブの後面）に伝達されてよい。
【００７６】
図示されているように、方向逆転伝達機構４２２は、概して、線形駆動シャフトアセンブリ１００４によって分離された一組の角度付け駆動アセンブリ１００２を備える。角度付け駆動アセンブリ１００２は、所定の角度（例えば、図示されているように直角）だけ機械的な駆動力の方向を変えるように働き、一方、線形駆動シャフトアセンブリ１００４は、角度付け駆動アセンブリ１００２が、距離要件により又はそれらの間の相対的な移動を可能とするために、直接的に連結することができないときに、角度付け駆動アセンブリ１００２の間で機械的な駆動力を伝達する。（摺動するスプライン継ぎ手を設けることのみならず）線形駆動アセンブリ１００４を方向逆転伝達機構４２２の中に組み込むことによって、熱変化による寸法変化も対応される。しかし、線形駆動シャフトアセンブリ１００４は、角度付け駆動アセンブリ１００２の間で必要とされる距離に応じて省略されてよい。
【００７７】
角度付け駆動アセンブリ１００２のそれぞれは、角度付けハウジング１００６及び一組の回転シャフトアセンブリ１０１２を備える。その場合、角度付けハウジング１００６は、一組の回転シャフトアセンブリ１０１２を互いに対して所定の角度で位置決めするように構成されている。角度付けハウジング１００６は、一組の回転シャフトアセンブリ１０１２の内側構成要素に対するアクセスを提供するための、除去可能視察カバー１００８を更に備えてよい。視察カバー１００８は、方向逆転伝達機構４２２の内部構成要素に対する容易なアクセスを可能にする。それによって、保守及び／又は修理費用が低減される。除去可能視察カバー１００８は、複数のファスナ（例えば、ボルト）を介して角度付けハウジング１００６に固定されてよく、又は角度付けハウジング１００６に直接的にねじ込まれてよい。線形駆動シャフトアセンブリ１００４は、概して、線形ハウジング１０２４、及び、特定の態様では、線形ハウジング１０２４に連結された導管マニフォールド１０２２を備える。線形ハウジング１０２４は、第１の角度付け駆動アセンブリ１００２の回転シャフトアセンブリ１０１２を、第２の角度付け駆動アセンブリ１００２の回転シャフトアセンブリ１０１２に連結するように構成されている。例えば、線形ハウジング１０２４は、摺動するスプライン接合／連結１０２８を使用して、回転シャフト１０１６の間で必要とされる位置合わせ及び嵌め合いを提供して、１つの角度付け駆動アセンブリ１００２（例えば、下側の角度付け駆動アセンブリ１００２）から、もう１つの角度付け駆動アセンブリ１００２（例えば、上側角度付け駆動アセンブリ１００２）に機械的な駆動力を伝達する。図示されているように、第１の角度付け駆動アセンブリ１００２と第２の角度付け駆動アセンブリ１００２は、第１の角度付け駆動アセンブリ１００２からの回転の出力軸（軸Ａ）が、第２の角度付け駆動アセンブリ１００２の回転の入力軸と同じになるように位置合わせされる。
【００７８】
図１１は、方向逆転伝達機構４２２において使用されるシャフト密封アセンブリ１０１８を有する一組の回転シャフトを示している。方向逆転伝達機構４２２の有利な設計特徴は、角度付けハウジング１００６及び線形ハウジング１０２４上に溶接されたフランジの使用である。それは、最終的な溶接の前に取り付けフランジ１０２６の回転及び位置合わせを可能にする。この目的のために、回転シャフトアセンブリ１０１２のシャフトマウント１０１４は、もう１つのファスナ１０１０（例えば、ボルト）を介して、取り付けフランジ１０２６の間に挟持され固定されたフランジ１１０２を含んでよい。一旦、位置合わせ及び嵌め合いが調整且つ／又は確認されてしまうと、取り付けフランジ１０２６とフランジ１１０２が、適所で共に溶接されてよい。角度付けハウジング１００６と線形ハウジング１０２４のそれぞれは、例えば、真鍮、銅合金、アルミニウム、鋼、合金鋼、ステンレス鋼、チタニウム、ケブラー、ホウ素、エポキシ複合材、炭素繊維などの、金属材料及び／又は複合材料から製造されてよい。
【００７９】
機械的な駆動力を所定の角度だけ変えるために、回転シャフト１０１６のそれぞれは、シャフトの部分の一端に精密な傘歯車１１０６、他端にスプライン１１０４（例えば、リッジ）を含んでよい。図示されているように、精密な傘歯車１１０６は、その径方向中心にスプラインボア１１０８を含んでよい。スプラインボア１１０８は、スプラインを規定するように形作られた内壁面を有してよい。したがって、このギアセットへの連結及びこのギアセットからの連結が、傘歯車１１０６及び／又はシャフト構成要素の中へ設計されたスプラインを介して実現される。所望の曲げ角度を実現するために他の角度も考慮されるけれども、９０度の曲げを提供するために、各精密な傘歯車１１０６のピッチ面は、その回転軸に対して４５度で角度付けされてよい。とりわけ、図１０ｄを参照すると、線形ハウジング１０２４の長さは、回転シャフト１０１６のそれぞれが、同一であってよく、それによって、工具費を低減させ且つ交換部品の管理におけるより大きな柔軟性を提供するようにサイズ決定されてよい。しかし、上側と下側の角度付け駆動アセンブリ１００２の間の距離が増加され又は低減される場合、線形ハウジング１０２４内の回転シャフト１０１６は、それに対応して長さが調整されてよい。回転シャフト１０１６は、例えば、金属材料、複合材料、及び／又は、真鍮、銅合金、アルミニウム、鋼、合金鋼、ステンレス鋼、チタニウム、ケブラー、ホウ素、エポキシ複合材、炭素繊維などの、航空機グレードの材料から製造されてよい。
【００８０】
高いレベルでは、機械的な駆動力の伝達が、精密な軸受け、及び結合された支持付属品（例えば、潤滑システム、軸受けセット、リテーナ、シールなど）の使用を必要とする。例えば、シャフトシールアセンブリ１０１８は、相対的な動きを所望の動きに限定すると共に、回転摩擦を低減させ且つ径方向及び軸方向荷重を支持するために、各シャフトマウント１０１４とそのそれぞれの回転シャフト１０１６との間に位置決めされてよい。図１１で示されているように、シャフトシールアセンブリ１０１８は、とりわけ、インボード保持デバイス１１１０、複数のローラーボール軸受け１１１２、複数の同心リング（例えば、より小さい内側リング１１１６を伴ったより大きい外側リング１１１４）、及び同心スペーサハウジング（例えば、より小さい内側ハウジング１１２０を伴ったより大きい外側ハウジング１１１８）を含んでよい。ボールハウジング１１１２のそれぞれは、複数のボールを包含し且つボールを通じて荷重を伝達するための、少なくとも２つのレースを含んでよい。シャフトシールアセンブリ１０１８は、インボード支持体（例えば、シャフトマウント１０１４によって画定されたリッジ）とアウトボード保持デバイス１１２２を介して且つそれらの間で、シャフトマウント１０１４によって画定された空洞内に固定される。シャフトシールアセンブリ１０１８は、シャフトマウント１０１４によって画定された空洞内に潤滑剤を保持するための、１以上の径方向シールを更に備えてよい。特定の態様では、シャフトシールアセンブリ１０１８の裏側を支持するために、支持ワッシャーが、インボード支持体とシャフトシールアセンブリ１０１８との間に位置決めされてよい。それによって、シャフトシールアセンブリ１０１８が、空洞内に嵌め合わされる。シャフトマウント１０１４は、真鍮、銅合金、アルミニウム、鋼、合金鋼、ステンレス鋼、チタニウムなどの、１以上の金属材料から製造されてよい。
【００８１】
航空機１００は、エンジン４１４及び方向逆転伝達機構４２２を含む、その様々な構成要素内の腐食／さびを洗浄し、冷却し、密封し、且つ軽減するための潤滑システムを採用してよい。この目的のために、方向逆転伝達機構４２２の外装も、潤滑システムの供給を促進し、流体導管１０２０を掃気する。例えば、方向逆転伝達機構４２２は、複数の流体導管１０２０（例えば、パイプ、ホースなど）、及び、サービスの容易さのために全ての流体導管１０２０を共通の位置に運ぶ、導管マニフォールド１０２２を更に備えてよい。流体導管１０２０は、導管マニフォールド１０２２において潤滑システムと連結するように構成されてよく、その場合、流体導管１０２０は、方向逆転伝達機構４２２の様々な構成要素へ潤滑剤を提供し、それらの構成要素から潤滑剤を戻すために使用される。例えば、（導管マニフォールド１０２２を介して）潤滑システムから方向逆転伝達機構４２２の範囲内の指定されたエリアに、そして、（導管マニフォールド１０２２を介して）潤滑システムに戻すように潤滑剤を運ぶように、流体導管１０２０のネットワークは、方向逆転伝達機構４２２上に位置決めされてよい。特定の態様では、種々のタイプの潤滑剤が、例えば、所望の温度や粘度などに基づいて、方向逆転伝達機構４２２の種々の領域に運ばれてよい。取り付けポイントの間での流体導管１０２０の望ましくない振動を防止するために、流体導管１０２０の長さに沿ってブッシング１０３０が設けられてよい。
【００８２】
方向逆転伝達機構４２２は、概して、２つの９０度の角度付け駆動アセンブリ１００２を有するＵ字形状として説明されたが、他の構成及び角度も考慮される。例えば、図１０ｅ及び図１０ｆで示されているように、回転軸の方向は逆転される必要はないが、むしろ、横にオフセットされる場合、上側の角度付け駆動アセンブリ１００２は、Ｓ字形状の伝達機構を提供するために、軸Ａの周りで下側の角度付け駆動アセンブリ１００２に対して回転されてよい。更に、図１０ｆで示されているように、駆動アセンブリ１００２は、９０度で角度付けされる必要はない。方向逆転伝達機構４２２の利点は、角度付け駆動アセンブリ１００２が、それらの構成要素に対する変更を必要とせずに、軸Ａの周りで互いに対して回転されてよいということである。
【００８３】
前述の実施例は、１つのエンジン４１４が１つの推進ファン１０８を駆動する構成を示しているが、機械的に分散された推進システムアーキテクチャは、その代わりに、単一のエンジン４１４を使用して、複数の推進ファン１０８を駆動してよい。図１２は、単一のエンジン４１４が、単一の駆動シャフト４１６を介して複数の推進ファン１０８を駆動するように構成された例示的な配置１２００を示している。図示されているように、単一の駆動シャフト４１６は、ギアボックスを介して２つのファン駆動シャフト１２０２と機械的に連結されている。分かり易くするために、様々なハウジング及びフェアリングが、図面から省略されて、ギアの配置をより良く示している。例えば、ギアボックスは、単一の駆動シャフト４１６から２つのファン駆動シャフト１２０２のそれぞれに機械的な駆動力を伝達するための、複数の傘歯車を採用してよい。この目的のために、エンジン４１４からの単一の駆動シャフト４１６と２つのファン駆動シャフト１２０２のそれぞれは、傘歯車を含んでよい。その場合、単一の駆動シャフト４１６の傘歯車１２０４は、２つのファン駆動シャフト１２０２の傘歯車１２０６のそれぞれを駆動するようにサイズ決定され且つ形作られる。示されているように、ファン駆動シャフト１２０２のそれぞれは、その反対側の端部に第２の傘歯車１２０８を更に含む。第２の傘歯車１２０８は、推進ファン１０８のそれぞれに位置決めされた対応する傘歯車を駆動するようサイズ決定され且つ形作られる。図１２で示されているように、２つの推進ファン１０８は、逆回転する機構を採用してよい。例えば、１つの推進ファン１０８は、時計回りで回転するが、１つ又は２つの隣接する推進ファン１０８は、反時計回りで回転してよい。
【００８４】
上記で引用された特許及び特許文献は、全体として参照により本願に援用される。部品、特徴などの特定の配置を参照しながら、様々な実施形態が説明されてきたが、これらは、全ての可能な配置又は特徴を網羅することを意図するものではなく、実際、多くの他の実施形態、修正例、及び変形例が、当業者に究明可能であろう。ゆえに、本開示は、具体的に上述したものとは別様にも実践されうると、理解すべきである。
【００８５】
本開示は、以下の条項で説明される主題を含む。
１．
航空機（１００）で使用される機械的に分散された推進システム（７００、８００）であって、
機械的な駆動力を生成するためのエンジン（４１、１０８、４１４）、
前記機械的な駆動力を受け取るために前記エンジン（４１、１０８、４１４）に動作可能に連結された駆動シャフト（４１６）、
第１の回転シャフト（１０１６）と第２の回転シャフト（１０１６）を有する方向逆転伝達機構（９００）であって、前記第１の回転シャフト（１０１６）が前記機械的な駆動力を受け取るために前記駆動シャフト（４１６）に動作可能に連結され、前記方向逆転伝達機構（９００）が、第１の方向から前記第１の回転シャフト（１０１６）で受け取った前記機械的な駆動力を、前記第２の回転シャフト（１０１６）で第２の方向に再方向付けするように構成されている、方向逆転伝達機構（９００）、及び
前記機械的な駆動力を推力に変換するために前記第２の回転シャフト（１０１６）に連結された推進ファン（４、１０８、８００）を備える、機械的に分散された推進システム（７００、８００）。
２．
前記方向逆転伝達機構（９００）が、第１の角度だけ前記機械的な駆動力の経路の方向を変えるための第１の角度付け駆動アセンブリ（１００２）、及び第２の角度だけ前記機械的な駆動力の前記経路の方向を変えるための第２の角度付け駆動アセンブリ（１００２）を備える、条項１に記載の機械的に分散された推進システム（７００、８００）。
３．
前記第１の角度と前記第２の角度のそれぞれが等しい、条項２に記載の機械的に分散された推進システム（７００、８００）。
４．
前記第１の角度付け駆動アセンブリ（１００２）と前記第２の角度付け駆動アセンブリ（１００２）が、線形駆動シャフト（４１６）アセンブリを介して、互いに機械的に連結されている、条項２又は３に記載の機械的に分散された推進システム（７００、８００）。
５．
前記第１の角度付け駆動アセンブリ（１００２）が、第１の回転軸を有する前記第１の回転シャフト（１０１６）、及び第３の回転軸を有する第３の回転シャフト（１０１６）を備え、前記第１の回転シャフト（１０１６）と前記第３の回転シャフト（１０１６）が、第１の組の傘歯車を介して互いに機械的に連結されており、前記第１の回転軸と前記第３の回転軸が、互いに対して第１の角度で位置決めされている、条項２から４のいずれか一項に記載の機械的に分散された推進システム（７００、８００）。
６．
前記第２の角度付け駆動アセンブリ（１００２）が、第２の回転軸を有する前記第２の回転シャフト（１０１６）、及び第４の回転軸を有する第４の回転シャフト（１０１６）を備え、前記第２の回転シャフト（１０１６）と前記第４の回転シャフト（１０１６）が、第２の組の傘歯車を介して互いに機械的に連結されており、前記第２の回転軸と前記第４の回転軸が、互いに対して第２の角度で位置決めされている、条項５に記載の機械的に分散された推進システム（７００、８００）。
７．
前記第３の回転シャフト（１０１６）と前記第４の回転シャフト（１０１６）が、摺動するスプライン継ぎ手（１０２８）を介して、互いに機械的に連結されている、条項６に記載の機械的に分散された推進システム（７００、８００）。
８．
前記方向逆転伝達機構（９００）が、前記方向逆転伝達機構（９００）に潤滑剤を供給するための導管マニフォールド（１０２２）及び複数の流体導管を含む、条項１から７のいずれか一項に記載の機械的に分散された推進システム（７００、８００）。
９．
前記推進ファン（４、１０８、８００）が、前記航空機（１００）の胴体（１０２）にわたり流れ（１１０）ている境界層を摂取するために、前記航空機（１００）上に位置決めされている、条項１から８のいずれか一項に記載の機械的に分散された推進システム（７００、８００）。
１０．
前記推進ファン（４、１０８、８００）が、前記胴体（１０２）に融合している、条項９に記載の機械的に分散された推進システム（７００、８００）。
１１．
前記推進ファン（４、１０８、８００）が、前記胴体（１０２）によって画定された一組の統合ナセルカウリングディフューザを介して、前記胴体（１０２）に融合している、条項９又は１０に記載の機械的に分散された推進システム（７００、８００）。
１２．
前記推進ファン（４、１０８、８００）が、前記胴体（１０２）の後方胴体（１０２）サブアセンブリに統合されている、条項９に記載の機械的に分散された推進システム（７００、８００）。
１３．
前記胴体（１０２）が、西洋梨型の断面を有する中央胴体（１０２）サブアセンブリを含む、条項９に記載の機械的に分散された推進システム（７００、８００）。
１４．
前記後方胴体（１０２）サブアセンブリが、内部構造に固定された複数の胴体スキンピースを有する半張殻構造として製造されている、条項１２に記載の機械的に分散された推進システム（７００、８００）。
１５．
前記機械的に分散された推進システム（７００、８００）が、前記エンジン（４１、１０８、４１４）が排気を後ろへ放出するように構成された、前方配向にあるように構成されている、条項１から１４のいずれか一項に記載の機械的に分散された推進システム（７００、８００）。
１６．
前記機械的に分散された推進システム（７００、８００）が、前記エンジン（４１、１０８、４１４）が排気を前方へ放出するように構成された、逆転配向にあるように構成されており、前記エンジン（４１、１０８、４１４）が、前記排気を後ろに再方向付けするための後ろ向きエンジン（４１、１０８、４１４）排気部に連結されている、条項１から１５のいずれか一項に記載の機械的に分散された推進システム（７００、８００）。
１７．
胴体（１０２）、
前記胴体（１０２）に動作可能に設置された主翼（１１０）セット、
前記胴体（１０２）の後方端にある尾部（１０６）であって、複数の飛行操縦翼面を有する尾部（１０６）、
前記胴体（１０２）の前記後方端において統合された推進ファン（４、１０８、８００）であって、前記胴体（１０２）の前記後方端が、前記胴体（１０２）にわたり流れ（１１０）ている境界層を前記推進ファン（４、１０８、８００）に向けるための幾何学的形状で形作られている、推進ファン（４、１０８、８００）、
機械的な駆動力を生成するための前記胴体（１０２）内に位置決めされたエンジン（４１、１０８、４１４）、及び
前記エンジン（４１、１０８、４１４）から前記機械的な駆動力を受け取り、前記機械的な駆動力を第１の方向から第２の方向に再方向付けするための方向逆転伝達機構（９００）を備える、航空輸送体。
１８．
前記第１の方向が前記前方端からであり、前記第２の方向が前記前方端に向いている、条項１７に記載の航空輸送体。
１９．
前記胴体（１０２）が、西洋梨型の断面を有する中央胴体（１０２）サブアセンブリを含む、条項１７又は１８に記載の航空輸送体。
２０．
機械的に分散された推進システム（７００、８００）を有する航空機（１００）を動作させる方法であって、
エンジン（４１、１０８、４１４）を使用して機械的な駆動力を生成すること、
駆動シャフト（４１６）を介して前記エンジン（４１、１０８、４１４）から前記機械的な駆動力を受け取ること、
方向逆転伝達機構（９００）を介して前記駆動シャフト（４１６）から前記機械的な駆動力を受け取ることであって、前記方向逆転伝達機構（９００）が、第１の回転シャフト（１０１６）及び第２の回転シャフト（１０１６）を備え、前記第１の回転シャフト（１０１６）が前記駆動シャフト（４１６）に動作可能に連結されている、前記機械的な駆動力を受け取ること、
第１の方向から前記第１の回転シャフト（１０１６）で受け取った前記機械的な駆動力を、前記第２の回転シャフト（１０１６）で第２の方向に再方向付けすること、並びに
前記機械的な駆動力を推力に変換するために推進ファン（４、１０８、８００）を回転させることであって、前記推進ファン（４、１０８、８００）が前記第２の回転シャフト（１０１６）に動作可能に連結されている、推進ファン（４、１０８、８００）を回転させることを含む、方法。
【図１ａ】
2020040649.tif 000003
【図１ｂ】
2020040649.tif 000004
【図１ｃ】
2020040649.tif 000005
【図１ｄ】
2020040649.tif 000006
【図１ｅ】
2020040649.tif 000007
【図１ｆ】
2020040649.tif 000008
【図１ｇ】
2020040649.tif 000009
【図１ｈ】
2020040649.tif 000010
【図２】
2020040649.tif 000011
【図３】
2020040649.tif 000012
【図４ａ】
2020040649.tif 000013
【図４ｂ】
2020040649.tif 000014
【図４ｃ】
2020040649.tif 000015
【図４ｄ】
2020040649.tif 000016
【図５ａ】
2020040649.tif 000017
【図５ｂ】
2020040649.tif 000018
【図６ａ】
2020040649.tif 000019
【図６ｂ】
2020040649.tif 000020
【図６ｃ】
2020040649.tif 000021
【図７ａ】
2020040649.tif 000022
【図７ｂ】
2020040649.tif 000023
【図７ｃ】
2020040649.tif 000024
【図８ａ】
2020040649.tif 000025
【図８ｂ】
2020040649.tif 000026
【図８ｃ】
2020040649.tif 000027
【図９】
2020040649.tif 000028
【図１０ａ】
2020040649.tif 000029
【図１０ｂ】
2020040649.tif 000030
【図１０ｃ】
2020040649.tif 000031
【図１０ｄ】
2020040649.tif 000032
【図１０ｅ】
2020040649.tif 000033
【図１０ｆ】
2020040649.tif 000034
【図１１】
2020040649.tif 000035
【図１２】
2020040649.tif 000036
【外国語明細書】
2020040649000001.pdf
2020040649000002.pdf
2020040649000003.pdf
2020040649000004.pdf